(57)【要約】【課題】駆動モータの駆動音及び給紙ローラの振動音が外部に漏れることなく、また埃等が装置内部に入り込まない印刷装置を提供する。【解決手段】装置本体に用紙挿入用の開口部４０ａが形成され、用紙が装置へセットされた状態では、用紙の一部が開口部４０ａから外部へと突出した状態となる印刷装置において、用紙が装置にセットされていない状態では開口部４０ａ全体を塞ぎ、用紙の装置へのセット時には、開口部４０ａから退避するシャッタープレート２３を設ける。【選択図】      図１
2005008362.tif 000002
【特許請求の範囲】
【請求項１】
装置本体に印刷媒体挿入用の開口部が形成され、印刷媒体が装置へセットされた状態では、該印刷媒体の一部が上記開口部から外部へと突出した状態となる印刷装置において、
上記印刷媒体が装置にセットされていない状態では上記開口部全体を塞ぎ、上記印刷媒体の装置へのセット時には、上記開口部から退避するシャッターを設けたことを特徴とする印刷装置。
【請求項２】
上記シャッターの上記開口部からの退避量は、上記印刷媒体が上記開口部に入り込んだ厚み分である請求項１記載の印刷装置。
【請求項３】
上記シャッターの、上記印刷媒体セット時に該印刷媒体に接触する位置に設けられ、上記印刷媒体の表面を清掃する清掃手段を備えた請求項１又は２記載の印刷装置。
【請求項４】
上記清掃手段は導電性であり、且つ装置に設けられたグランドと電気的に接続されている請求項３記載の印刷装置。
【請求項５】
装置本体に印刷媒体挿入用の開口部が形成され、印刷媒体が装置へセットされた状態では、該印刷媒体の一部が上記開口部から外部へと突出した状態となる印刷装置において、
一端部が装置内に位置付けられ、他端部が上記開口部から装置外へと突出する長さを備え、上記印刷媒体が装置にセットされる時に該印刷媒体が積載されるホッパープレートと、
上記ホッパープレートの他端部を上記開口部を塞ぐ方向に押圧する押圧手段とを設けたことを特徴とする印刷装置。
【請求項６】
上記押圧手段を第１の押圧手段とし、
上記ホッパープレートの一端部側に設けられ、上記ホッパープレート上に積載されている上記印刷媒体を装置内部へと繰出す給紙ローラと、
上記ホッパープレートの一端部を上記給紙ローラに接触する方向に押圧する第２の押圧手段とを備え、
上記印刷媒体が装置にセットされた状態では、上記第１の押圧手段により上記印刷媒体の先端部を上記繰出しローラに接触する方向に押圧すると共に、上記第２の押圧手段により上記印刷媒体の後端部を上記開口部を塞ぐ方向に押圧する請求項５記載の印刷装置。
【請求項７】
上記開口部近傍で、上記印刷媒体セット時に該印刷媒体に接触する位置に設けられ、上記印刷媒体の表面を清掃する清掃手段を備えた請求項５又は６記載の印刷装置。
【請求項８】
上記清掃手段により取り除かれた除去物を集積する集積手段を備えた請求項７記載の印刷装置。
【発明の詳細な説明】
【０００１】
【発明の属する技術分野】
本発明は、遮音及び防塵機構を備えた印刷装置に関する。
【０００２】
【従来の技術】
従来、印刷装置においては印刷装置の後部側に用紙トレイが設けられ、この用紙トレイ上に印刷を行う用紙を積載することにより、印刷装置に対して用紙をセット状態としている。この用紙トレイは印刷装置内部から外部へと、内部側が下になって斜めに伸びて形成されており、また印刷装置にはオペレータが用紙を装置内部に挿入しながら用紙トレイ上に積載するために、用紙トレイへと続く開口部が形成されている。そしてオペレータはこの開口部から用紙を印刷装置内部へと入れることにより、用紙を用紙トレイ上に積載することができる。なお、用紙が用紙トレイ上に積載されたとき、用紙の後端部は開口部から突出し、また用紙トレイが斜めに傾いた状態で設けられていることにより、積載された用紙は印刷装置に対して立った状態で用紙トレイ上に積載される。
【０００３】
また、用紙の先端部は用紙を装置内部へと繰出す給紙ローラに接触し、給紙ローラが回転することにより順次装置内部の用紙搬送路へと繰り出され、用紙への印刷を行うイメージドラムカートリッジまで搬送される。なお、用紙が用紙トレイ上に積載されている枚数が所定枚数よりも少ないと、あるいは用紙トレイ上に用紙が積載されていないと、開口部は用紙が積載されていない分だけ開いた状態となっている。
【０００４】
また、用紙カセットの下部には、印刷動作を行うための駆動モータが配置されている。更に、用紙トレイ上から用紙を全て給紙ローラによって繰出した際、用紙トレイ上に用紙が無くなったことを給紙ローラが空転することにより検出する構成となっている。
【０００５】
【特許文献１】
特開２００１−１９９５８０号公報
【０００６】
【発明が解決しようとする課題】
上記従来の印刷装置においては、用紙トレイの下部に駆動モータが配置されているので、この駆動モータの駆動音が、用紙のセット用に形成された開口部から外に漏れてしまうという問題点があった。また、用紙トレイ上から用紙を全て給紙ローラによって繰出した際、用紙トレイ上に用紙が無くなったことを給紙ローラが空転することにより検出するので、給紙ローラの空転時の摩擦による振動音が、上記開口部から外に漏れ、大きなノイズとなってしまうという問題点があった。
【０００７】
更に、開口部から装置内部へと伸びる用紙トレイは、装置内部に向かって下降しているので、印刷装置の周囲に漂っている埃等が開口部から装置内部に入り込み、しだいに蓄積されて給紙ローラ表面に付着したり、用紙搬送路上に堆積する場合があった。そして埃等が給紙ローラ表面に付着したり、用紙搬送路上に堆積することにより、用紙ジャムを引き起こす原因となってしまうという問題点があった。また、装置内部に入り込んだ埃等が用紙表面に付着すると、印刷プロセス内部にまで侵入し、印刷品位に重大な欠陥をもたらすという問題点があった。
【０００８】
【課題を解決するための手段】
上記課題を解決するために本発明で設けた解決手段は、装置本体に印刷媒体挿入用の開口部が形成され、印刷媒体が装置へセットされた状態では、該印刷媒体の一部が上記開口部から外部へと突出した状態となる印刷装置において、上記印刷媒体が装置にセットされていない状態では上記開口部全体を塞ぎ、上記印刷媒体の装置へのセット時には、上記開口部から退避するシャッターを設けたものである。
【０００９】
上記構成によれば、印刷媒体が装置にセットされていない状態ではシャッターが開口部全体を塞ぎ、印刷媒体の装置へのセット時には印刷媒体とシャッターにより開口部を塞ぐ。
【００１０】
これにより、用紙トレイの下部に駆動モータが配置されていてもこの駆動モータの駆動音が、開口部から外に漏れてしまうということを防止することができる。また給紙ローラの空転時の摩擦による振動音が開口部から外に漏れて、大きなノイズとなってしまうということを防止することができる。更に、開口部から装置内部へと埃等が侵入することを防止することができる。
【００１１】
【発明の実施の形態】
以下、本発明の実施の形態を図面に従って説明する。なお各図面に共通する要素には同一の符号を付す。
【００１２】
第１の実施の形態
図１は第１の実施の形態の用紙が用紙トレイ上に積載されていない状態の印刷装置の構成を示す説明図、図２は第１の実施の形態の用紙が用紙トレイ上に積載されている状態の印刷装置の構成を示す説明図である。
【００１３】
図１において、印刷装置１の後部側には、用紙２を積載する用紙トレイ３が設けられている。そして図２に示すように用紙トレイ３上に印刷を行う印刷媒体である用紙２を積載することにより、印刷装置１に対して用紙２がセット状態となる。この用紙トレイ３は印刷装置１内部から外部へと、内部側が下になって斜めに伸びて形成されており、また印刷装置１全体を覆う、装置本体である筐体４０には、オペレータが用紙２を装置１内部に挿入しながら用紙トレイ３上に積載するために、印刷装置１内部に設けられた用紙トレイ３へと続く開口部４０ａが形成されている。なお、この開口部４０ａは筐体４０の壁が切り欠かれて形成されている。そしてオペレータはこの開口部４０ａから用紙２を印刷装置１内部へと入れることにより、用紙２を用紙トレイ３上に積載することができる。なお、用紙２が用紙トレイ３上に積載されたとき、用紙２の後端部は開口部４０ａから突出し、また用紙トレイ３が斜めに傾いた状態で設けられていることにより、積載された用紙２は印刷装置１に対して立った状態で用紙トレイ３上に積載される。
【００１４】
印刷装置１の内部には用紙２が用紙トレイ３上に積載されたときに、用紙２の先端部が接触する位置に設けられ、用紙２を装置１内部へと繰出す給紙ローラ５が設けられている。なお、この給紙ローラ５は電磁クラッチ等により構成される図示せぬ駆動系により回転が制御される。用紙トレイ３の、給紙ローラ５近傍には用紙２を給紙ローラ５に押圧する役割を果たすホッパプレート６が設けられている。このホッパプレート６は図示せぬスプリングの押圧力により、給紙ローラ５に接触する方向に押圧力が与えられている。
【００１５】
印刷装置１内部には、分離パッド７が給紙ローラ５に対して接離自在に設けられている。この分離パッド７は用紙トレイ３から用紙２を１枚ずつ自動的に分離するものであり、これにより後述する用紙搬送路へと用紙トレイ３上の最上位の用紙１枚のみが繰出される。また用紙トレイ３の下部には印刷動作を行うための駆動モータ９が配置されている。
【００１６】
給紙ローラ５と分離パッド７とが対向している位置から用紙２が装置外へと排出される排出口１０まで、用紙２が搬送される用紙搬送路８が形成されている。この用紙搬送路８には、給紙ローラ５と分離パッド７とが対向している位置から用紙搬送方向下流側に向かって、レジストローラ１１と、書き込みセンサ１２と、イメージドラムカートリッジ１３と、定着部１４と、用紙排出センサ１５と、排出ローラ１６とが設けられている。
【００１７】
レジストローラ１１は、印刷動作時には常時回転していて用紙を搬送する。書き込みセンサ１２は搬送される用紙２を検出し、これ基づき図示せぬ制御部が用紙２の搬送確認と印刷データの書き込み開始タイミングを決定する。
【００１８】
イメージドラムカートリッジ１３は感光体ドラム１７等を内蔵しており、印刷装置１には感光体ドラム１７に対向して、該感光体ドラム１７上に静電潜像を形成するＬＥＤヘッド１８が設けられている。また、印刷装置１には感光体ドラム１７に対向して、転写ローラ１９が設けられている。そしてこの転写ローラ１９により、感光体ドラム１７上のトナー像を用紙２に転写する。
【００１９】
定着部１４は定着ローラ２０と、定着ローラ２０に対向して設けられた加圧ローラ２１とから構成されている。定着ローラ２０はヒータを内蔵し、また加圧ローラ２１は定着ローラ２０に押圧されているので、熱と加圧力により用紙２上のトナー像を用紙に定着させる。用紙排出センサ１５は用紙２を検知し、図示せぬ制御部は用紙排出センサ１５が用紙２を検知した後、検知しなくなることにより、用紙２が排出口１０から排出されたことを検知する。排出ローラ１６は用紙２を排出口１０から印刷装置１外へと排出する。
【００２０】
印刷装置１内部であって、用紙トレイ３近傍には除電フィルム２２が設けられている。この除電フィルム２２は用紙給紙時の静電気による貼り付きを原因とする用紙２の重送を防止するために、導電性の素材により形成され、図示せぬ接点により印刷装置１の図示せぬグランドと電気的に接続されている。そして除電フィルム２２の一端が用紙トレイ３上の用紙２の表面に接することにより、用紙トレイ３上の用紙２の静電気を除去する。
【００２１】
印刷装置１内部にはまた、開口部４を覆うようにシャツタープレート２３が矢印Ａ−Ｂ方向に回動自在に設けられている。このシャッタープレート２２は開口部４を完全に塞ぐことが出来る大きさを備え、支点２４により筐体４０に図１に実線で示す位置から破線で示す位置までの間を回動自在となるように取り付けられている。またこのシャッタープレート２３には、一端部が筐体４０に取り付けられている図示せぬスプリングの他端部が取り付けられており、シャッタープレート２３は押し付け手段であるスプリングの押圧力により開口部４０ａを塞ぐ方向に押圧されている。従って、シャッタープレート２３は用紙２が用紙トレイ３上に積載されていない状態では、図１に実線で示す位置に位置付けられていて開口部４０ａを完全に塞いでいる。
【００２２】
一方用紙２が用紙トレイ３上に積載されるときには、シャッタープレート２３は用紙２の先端部に押圧されて矢印Ａ方向へと回動する。これにより開口部４０ａは開き、用紙２は印刷装置１内部へと入り込むことができる。従って、シャッタープレート２３が用紙２を用紙トレイ３上へ積載することを妨げることはない。また、図２に示すように、用紙２が用紙トレイ３上に積載されている状態ではシャッタープレート２３は図示せぬスプリングにより用紙２に対して押圧されているので、用紙２とシャッタープレート２３とにより、用紙２の残数量に係わらず開口部４０ａに隙間を生じさせない。
【００２３】
次に上記構成における印刷装置１の動作について説明する。
【００２４】
図１に示すように用紙２がまだ用紙トレイ３上に積載されていない状態では、シャッタープレート２３は開口部４を完全に塞いでいる。この状態でオペレータが用紙２を用紙トレイ３上に積載しようとすると、図２に示すようにシャッタープレート２３は用紙２の先端部に押圧されて矢印Ａ方向へと回動する。これにより開口部４は開き、用紙２は印刷装置１内部へと入り込むことができる。
【００２５】
なお、用紙２が用紙トレイ３上に積載されたとき、用紙２の後端部は開口部４から突出し、また用紙トレイ３が斜めに傾いた状態で設けられていることにより、積載された用紙２は印刷装置１に対して立った状態で用紙トレイ３上に積載される。またホッパステージ６は、用紙２に押されて図１に示す位置から図２の図示せぬ位置まで下降する。
【００２６】
この状態で図示せぬスイッチが押下され、印刷が開始されると、図示せぬ制御部は駆動モータ９を駆動し、これにより給紙ローラ５が矢印Ｃ方向に回転し、レジストローラ１１が矢印Ｄ方向と矢印Ｅ方向にそれぞれ回転する。そしてこの回転により用紙トレイ３上の用紙２が用紙搬送路８へと繰出される。なお、複数枚繰り出されても、用紙２が給紙ローラ５と分離パッド７との間を通過する際に、１枚に分離され、用紙搬送路８へと用紙トレイ３上の最上位の用紙１枚のみが繰出される。また、用紙２が用紙搬送路８へと繰出されると、用紙トレイ３上の用紙２が１枚減った分、シャッタープレート２３が矢印Ｂ方向に回動する。このように用紙トレイ３上の用紙２の残数量が減っても、用紙２とシャッタープレート２３とにより開口部４０ａに隙間は生じない。
【００２７】
用紙２はその後レジストローラ１１により搬送され、書き込みセンサ１２が用紙２の先端を検出すると、検出したことを図示せぬ制御部に送信する。制御部はこの信号を受信すると、この信号に基づき用紙２の搬送確認と印刷データの書き込み開始タイミングを決定する。また制御部は駆動モータ９を制御して感光体ドラム１７、転写ローラ１９、定着ローラ２０、加圧ローラ２１を回転させると共に、給紙ローラ５の回転を停止させる。なお、給紙ローラ５に図示せぬワンウェイクラッチや電磁クラッチ等を設けることにより、給紙ローラ５の回転が停止しても用紙２の走行を妨げない構造となっている。
【００２８】
レジストローラ１１により用紙２を搬送し、用紙２がイメージドラムカートリッジ１３まで到着すると、感光体ドラム１７と転写ローラ１９とが対向した位置において、感光体ドラム１７上のトナー像が用紙２に転写される。
【００２９】
そして更に用紙２を搬送し、用紙２が定着部１４まで到着すると、定着ローラ２０と加圧ローラ２１とが対向した位置において、熱と加圧力により用紙２上のトナー像が用紙２に定着される。そして更に用紙２を搬送し、用紙２が用紙排出センサ１５まで到達すると、用紙排出センサ１５が用紙２を検知する。
【００３０】
用紙排出センサ１５が用紙２の先端部を検知すると、検知したことを図示せぬ制御部に送信する。図示せぬ制御部はこの信号を受信すると、この信号に基づき駆動モータ９を駆動し、これにより排出ローラ１６が矢印Ｄ方向と矢印Ｅ方向にそれぞれ回転する。そしてこの回転により用紙２が排出口１０から装置１外の図示せぬ用紙トレイ上へと排出される。また図示せぬ制御部は用紙排出センサ１５が用紙２を検出しなくなってから一定時間経過後、用紙２が排出口１０から排出されたと判断し、駆動モータ９を制御してレジストローラ１１、感光体ドラム１７、転写ローラ１９、定着ローラ２０、加圧ローラ２１、排出ローラ１６の回転を停止させる。
【００３１】
以上第１の実施の形態においては、シャッタープレート２３と用紙２が開口部４を完全に塞ぐので、用紙トレイ３の下部に駆動モータ９が配置されていてもこの駆動モータ９の駆動音が、開口部４から外に漏れてしまうということを防止することができる。また用紙トレイ３上から用紙２を全て給紙ローラ５によって繰出した際、用紙トレイ３上に用紙２が無くなったことを給紙ローラ５が空転することにより検出する構造であっても、給紙ローラ５の空転時の摩擦による振動音が、開口部４から外に漏れて、大きなノイズとなってしまうということを防止することができる。
【００３２】
更に、開口部４から装置内部へと埃等が侵入することを防止することができる。その結果、埃等による用紙ジャムを防止することや、印刷品位の低下を防止することができる。
【００３３】
第２の実施の形態
次に第２の実施の形態について説明する。上記第１の実施の形態と同様な箇所には同一符号を付して説明は省略する。図３は第２の実施の形態の用紙が用紙トレイとホッパープレート上に積載されていない状態の印刷装置の構成を示す説明図、図４は第２の実施の形態の用紙が用紙トレイとホッパープレート上に積載されている状態の印刷装置の構成を示す説明図である。
【００３４】
図３において、印刷装置２５の後部側には、用紙２を積載する用紙トレイ４１が設けられている。この用紙トレイ４１は上記第１の実施の形態の用紙トレイ３と同様に、印刷装置２５内部から外部へと内部側が下になって斜めに伸びて形成されており、また印刷装置２５全体を覆う筐体４２にはオペレータが用紙２を装置２５内部に挿入しながら用紙トレイ４１及び後述するホッパープレート上に積載するために、印刷装置２５内部に設けられた用紙トレイ４１及びホッパープレートへと続く開口部４２ａが形成されている。
【００３５】
印刷装置２５には、上記用紙トレイ４１の上側に、該用紙トレイ４１と略平行な状態で、一端部が繰出しローラ５に接触する位置から他端部が用紙トレイ４１に接触する位置までの長さを備えた、用紙２を給紙ローラ５に押圧する役割を果たすホッパープレート２６が設けられている。なお、ホッパープレート２６の他端部は図３に示す開口部４２ａから外部へと突出しており、また用紙トレイ４１の、ホッパープレート２６の他端部に対向する位置には、該ホッパープレート２６の他端部が入り込む図示せぬ切り欠きが形成されている。
【００３６】
オペレータは上記開口部４２ａから用紙２を印刷装置２５内部へと入れることにより、用紙２を用紙トレイ４１及びホッパープレート２６上に積載することができる。なお、用紙２が用紙トレイ４１及びホッパープレート２６上に積載されたとき用紙２の後端部は開口部４から突出し、また用紙トレイ４１及びホッパープレート２６が斜めに傾いた状態で設けられていることにより、積載された用紙２は印刷装置２５に対して立った状態で用紙トレイ４１及びホッパープレート２６上に積載される。またこのような用紙トレイ４１及びホッパープレート２６上に印刷を行う用紙２が積載された状態が、印刷装置２５に対して用紙２がセット状態となった状態である。
【００３７】
ホッパープレート２６の一端部の底面には、一端部が印刷装置２５の筐体４２に取り付けられた第２の押圧手段であるスプリング２７の他端部が取り付けられている。そしてこのスプリン２７の押圧力により、ホッパープレート２６には給紙ローラ５に接触する方向に押圧力が与えられている。またホッパープレート２６の他端部の底面には、一端部が筐体４２に取り付けられた第１の押圧手段であるスプリング３８の他端部が取り付けられている。そしてこのスプリング３８の押圧力により、用紙２が用紙トレイ３上に積載されていない状態では、ホッパープレート２６の他端部が開口部４２ａの上側の筐体４２の壁に接触し、この状態でホッパープレート２６は停止し、開口部４２ａの上部を塞ぐ。
【００３８】
従って、ホッパープレート２６は用紙２が用紙トレイ４１上に積載されていない状態では、開口部４の上部側を塞いでいる。一方用紙２が用紙トレイ４１及びホッパープレート２６上に積載されるときには、ホッパープレート２６は用紙２に押圧されて矢印Ｆ方向へと移動する。これにより開口部４２ａの上部は開き、用紙２は印刷装置１内部へと入り込むことができる。従って、ホッパープレート２６が用紙２を用紙トレイ４１上へ積載することを妨げることはない。また、図４に示すように、用紙２が用紙トレイ４１及びホッパープレート２６上に積載されている状態では、ホッパープレート２６はスプリング３８により用紙２に対して押圧されているので、用紙２が開口部４２ａの上側の筐体４２の壁に接触し、用紙２の残数量に係わらず用紙２と開口部４２ａの上側の筐体４２の壁（印刷装置２５本体）との間に隙間を生じさせない。
【００３９】
なお、第２の実施の形態の印刷装置２５においては、上記第１の実施の形態の印刷装置１における、シャッタープレート２３と、支点２４と、ホッパープレート６は設けられていない。その他の構成は上記第１の実施の形態の印刷装置１と同様であるので説明は省略する。
【００４０】
次に上記構成における印刷装置２５の動作について説明する。なお、上記第１の実施の形態と異なる箇所のみ説明する。
【００４１】
図３に示すように用紙２がまだ用紙トレイ４１及びホッパープレート２６上に積載されていない状態では、ホッパープレート２６は開口部４２ａの上側の筐体４２の壁に接触し、開口部４の上部を塞いでいる。この状態でオペレータが用紙２を用紙トレイ３及びホッパープレート２６上に積載しようとすると、図４に示すようにホッパープレート２６は用紙２に押圧されて矢印Ｆ方向へと移動する。これにより開口部４の上部は開き、用紙２は印刷装置１内部へと入り込むことができる。
【００４２】
この状態で図示せぬスイッチが押下され、印刷が開始されると、図示せぬ制御部は駆動モータ９を駆動し、これにより給紙ローラ５が矢印Ｃ方向に回転し、レジストローラ１１が矢印Ｄ方向と矢印Ｅ方向にそれぞれ回転する。そしてこの回転により用紙トレイ４１及びホッパープレート２６上の用紙２が用紙搬送路８へと繰出される。また、用紙２が用紙搬送路８へと繰出されると、用紙トレイ３及びホッパープレート２６上の用紙２が１枚減った分、ホッパープレート２６は矢印Ｇ方向へと移動する。このように用紙トレイ３上の用紙２の残数量が減っても、用紙２と開口部４の上側の筐体４２の壁（印刷装置２５本体）との間に隙間は生じない。
【００４３】
なお、開口部４２ａの下部は開いた状態となっているが、用紙トレイ３の他端部がホッパープレート２６に接触していることにより、装置の上側（図３に示す矢印Ｈ方向）から埃等が印刷装置１内部に入り込んでしまうことを防止することができる。従って開口部４全てをホッパープレート２６で塞がなくても埃等が印刷装置１内部に入り込んでしまうことを防止することができる。
【００４４】
以上第２の実施の形態においては、上記第１の実施の形態と同様の効果を奏すると共に、第１の実施の形態と同様の効果を部品点数を少なくして実現することができる。
【００４５】
第３の実施の形態
次に第３の実施の形態について説明する。上記第１の実施の形態と同様な箇所には同一符号を付して説明は省略する。図５は第３の実施の形態の用紙が用紙トレイ上に積載されていない状態の印刷装置の構成を示す説明図、図６は第３の実施の形態の用紙が用紙トレイ上に積載されている状態の印刷装置の構成を示す説明図である。
【００４６】
図５において、印刷装置２８全体を覆う筐体４３には、上記第１の実施の形態の開口部４０ａと同様の開口部４３ａが形成されている。そして筐体４３の内部には、開口部４３ａを覆うようにシャッタープレート２９が矢印Ａ−Ｂ方向に回動自在に設けられている。このシャッタープレート２９は開口部４３ａを完全に塞ぐことが出来る大きさを備え、支点３０により筐体４３に図５に実線で示す位置から破線で示す位置までの間を回動自在となるように取り付けられている。そしてこのシャッタープレート２９の、用紙トレイ３上に積載された状態の用紙２に接触する側の端部にはフェルトあるいはスポンジ等で形成され、用紙２の表面を清掃する清掃手段３１が設けられている。
【００４７】
またこのシャッタープレート２９には、一端部が筐体４３に取り付けられている図示せぬスプリングの他端部が取り付けられており、シャッタープレート２９は押し付け手段であるスプリングの押圧力により開口部４３ａを塞ぐ方向に押圧されている。従って、シャッタープレート２９は用紙２が用紙トレイ３上に積載されていない状態では、図５に実線で示す位置に位置付けられていて開口部４３ａを完全に塞いでいる。一方用紙２が用紙トレイ３上に積載されるときには、シャッタープレート２９は用紙２の先端部に押圧されて矢印Ａ方向へと回動する。これにより開口部４３ａは開き、用紙２は印刷装置２８内部へと入り込むことができる。従って、シャッタープレート２９が用紙２を用紙トレイ３上へ積載することを妨げることはない。
【００４８】
図６に示すように、用紙２が用紙トレイ３上に積載されているときには、清掃手段３１が用紙２表面に常時接触しているので用紙給紙時に用紙２は清掃手段３１に接触しながら移動し、このときの用紙２と清掃手段３１との摩擦により用紙２上に付着した埃等が取り除かれる。その他の構成は上記第１の実施の形態の印刷装置１と同様であるので説明は省略する。
【００４９】
また上記構成における印刷装置２８の動作は上記第１の実施の形態と同様であるので説明は省略する。
【００５０】
以上第３の実施の形態においては、上記第１の実施の形態と同様の効果を奏すると共に、シャッタープレート２９に清掃手段３１を設けることにより、用紙２表面に付着した埃等も取り除くことが可能となる。その結果、用紙２に付着した埃等が印刷プロセス内部へ侵入することを防止することができ、これにより印刷品位の低下を防止することができる。
【００５１】
第４の実施の形態
次に第４の実施の形態について説明する。上記第１、第２の実施の形態と同様な箇所には同一符号を付して説明は省略する。図７は第４の実施の形態の用紙が用紙トレイとホッパープレート上に積載されていない状態の印刷装置の構成を示す説明図、図８は第４の実施の形態の用紙が用紙トレイとホッパープレート上に積載されている状態の印刷装置の構成を示す説明図である。
【００５２】
図７において、印刷装置３２には、用紙トレイ４１の上側に、該用紙トレイ４１と略平行な状態で、一端部が繰出しローラ５に接触する位置から他端部が用紙トレイ４１に接触する位置までの長さを備えた、用紙２を給紙ローラ５に押圧する役割を果たす、第２の実施の形態と同様のホッパープレート２６が設けられている。
【００５３】
ホッパプレート２６の一端部の底面には第２の実施の形態と同様に、一端部が印刷装置３２の筐体４４に取り付けられたスプリング２７の他端部が取り付けられている。そしてこのスプリング２７の押圧力により、ホッパープレート２６には給紙ローラ２５に接触する方向に押圧力が与えられている。またホッパープレート２６の他端部の底面には、一端部が筐体４４に取り付けられたスプリング３８の他端部が取り付けられている。そしてこのスプリング３８の押圧力により、用紙２が用紙トレイ４１上に積載されていない状態では、ホッパープレート２６の他端部が開口部４４ａの上側の筐体４４の壁に接触し、この状態でホッパープレート２６は停止し、開口部４４ａの上部を塞ぐ。
【００５４】
開口部４４ａの近傍であって、用紙２が用紙トレイ４１及びホッパープレート２６上に積載されていない状態ではホッパープレート２６に接触し、一方用紙２が用紙トレイ４１及びホッパープレート２６上に積載されている状態では用紙２に接触する位置には、筐体４４に取り付けられた状態で、フェルトあるいはスポンジ等で形成され、用紙２の表面を清掃する清掃手段３３が設けられている。また清掃手段３３に接触して集積部３４が筐体４４に取り付けられて設けられている。この集積部３４には埃等が集積部３４内部へと入り込むための図示せぬ孔が形成されており、集積部３４の内部には清掃手段３３によって取り除かれた埃等を蓄積する図示せぬ溝が、清掃手段３３よりも装置内部方向に向かって伸びた状態で形成されている。
【００５５】
図８に示すように、用紙２が用紙トレイ４１及びホッパーステージ２６上に積載されているときには、清掃手段３３が用紙２表面に常時接触しているので用紙給紙時に用紙２は清掃手段３３に接触しながら印刷装置３２内部へと移動し、このときの用紙２と清掃手段３３との摩擦により用紙２上から埃等が取り除かれる。
【００５６】
そして取り除かれた埃等は集積部３４に形成された図示せぬ孔から図示せぬ溝へと導かれ、そこで堆積される。
【００５７】
なお、その他構成は上記第２の実施の形態の印刷装置２５と同様であるので説明は省略する。
【００５８】
また上記構成における印刷装置３２の動作は上記第２の実施の形態と同様であるので説明は省略する。
【００５９】
以上第４の実施の形態においては、上記第２の実施の形態と同様の効果を奏すると共に、清掃手段３３を設けることにより、用紙２表面に付着した埃等も取り除くことが可能となる。その結果、用紙２に付着した埃等が印刷プロセス内部へ侵入することを防止することができ、これにより印刷品位の低下を防止することができる。
【００６０】
また集積部３４を設けたことにより、清掃手段３３に付着した埃等を集積部３４内の溝に堆積させることができるので、清掃手段３３の表面に付着した埃等が清掃手段表面に堆積してしまうことを防止することができる。その結果、清掃手段３３の長寿命化をはかることができる。
【００６１】
第５の実施の形態
次に第５の実施の形態について説明する。上記第１、第３の実施の形態と同様な箇所には同一符号を付して説明は省略する。図９は第５の実施の形態の用紙が用紙トレイ上に積載されていない状態の印刷装置の構成を示す説明図、図１０は第５の実施の形態の用紙が用紙トレイ上に積載されている状態の印刷装置の構成を示す説明図である。
【００６２】
図９において、印刷装置３５全体を覆う筐体４５には、上記第１の実施の形態の開口部４０ａと同様の開口部４５ａが形成されている。そして筐体４５の内部には、開口部４５ａを覆うように第３の実施の形態と同様のシャッタープレート２９が矢印Ａ−Ｂ方向に回動自在に設けられている。このシャッタープレート２９は開口部４５ａを完全に塞ぐことが出来る大きさを備え、支点３０により印刷装置２８本体に図９に実線で示す位置から破線で示す位置までの間を回動自在となるように取り付けられている。そしてこのシャッタープレート２９の、用紙トレイ３上に積載された状態の用紙２に接触する側の端部には導電性のスポンジ等で形成され、用紙２の表面を清掃する清掃手段３６が設けられている。そしてこの清掃手段３６には、一端部が印刷装置３５のグランドに接触しているコンタクト３７の他端部が取り付けられており、清掃手段３６はコンタクト３７により印刷装置３５の図示せぬグランドと電気的に接続されている。
【００６３】
またこのシャッタープレート２９には、一端部が筐体４５に取り付けられている図示せぬスプリングの他端部が取り付けられており、シャッタープレート２９は押し付け手段であるスプリングの押圧力により開口部４５ａを塞ぐ方向に押圧されている。従って、シャッタープレート２９は用紙２が用紙トレイ３上に積載されていない状態では、図９に実線で示す位置に位置付けられていて開口部４５ａを完全に塞いでいる。一方用紙２が用紙トレイ３上に積載されるときには、シャッタープレート２９は用紙２の先端部に押圧されて矢印Ａ方向へと回動する。これにより開口部４５ａは開き、用紙２は印刷装置２８内部へと入り込むことができる。従って、シャッタープレート２９が用紙２を用紙トレイ３上へ積載することを妨げることはない。
【００６４】
図１０に示すように、用紙２が用紙トレイ３上に積載されているときには、清掃手段が用紙２表面に常時接触しているので、用紙２に蓄積されている静電気は導電性である清掃手段３６からコンタクト３７を伝わって印刷装置３５のグランドに逃げ、これにより用紙２から静電気を除去することが可能となる。
【００６５】
その他の構成は上記第３の実施の形態の印刷装置２８と同様であるので説明は省略する。
【００６６】
また上記構成における印刷装置３５の動作は上記第３の実施の形態と同様であるので説明は省略する。
【００６７】
以上第５の実施の形態においては、上記第３の実施の形態と同様の効果を奏すると共に、導電性の清掃手段３６を設け、この清掃手段３６を印刷装置３５のグランドと電気的に接続しておくことにより用紙２から静電気を除去することが可能となる。その結果、清掃手段３６が除電フィルムと同じ役割を果たすことができるので、第１の実施の形態から第４の実施の形態に示す除電フィルム２２を印刷装置３５から削除することができる。
【００６８】
なお、本実施の形態の印刷装置３５においては、第３の実施の形態の印刷装置２８を元にしているが、第４の実施の形態の印刷装置３２の清掃手段３３を導電性のスポンジ等で形成し、この清掃手段３３に、一端部が印刷装置３５のグランドに接触しているコンタクト３７の他端部を取り付けるようにしても良い。
【００６９】
なお、上記第１の実施の形態から第５の実施の形態においては、印刷部を電子写真記録方式としているが、印刷方式は特に限定する必要はなく、用紙トレイより給紙を行うあらゆる印刷装置に適用可能である。
【００７０】
【発明の効果】
以上詳細に説明したように本発明によれば、印刷媒体が装置にセットされていない状態では開口部全体を塞ぎ、上記印刷媒体の装置へのセット時には、上記開口部から退避するシャッターを設けたことにより、装置内部から外部へと、駆動モータの駆動音及び給紙ローラの空転時の摩擦による振動音が漏れてしまうということを防止することができる。更に、装置内部へと埃等が侵入することを防止することができ、埃等による用紙ジャムを防止することや、印刷品位の低下を防止することができる。その結果、遮音及び防塵対策に優れた印刷装置を提供することができる。
【図面の簡単な説明】
【図１】第１の実施の形態の用紙が用紙トレイ上に積載されていない状態の印刷装置の構成を示す説明図である。
【図２】第１の実施の形態の用紙が用紙トレイ上に積載されている状態の印刷装置の構成を示す説明図である。
【図３】第２の実施の形態の用紙が用紙トレイとホッパープレート上に積載されていない状態の印刷装置の構成を示す説明図である。
【図４】第２の実施の形態の用紙が用紙トレイとホッパープレート上に積載されている状態の印刷装置の構成を示す説明図である。
【図５】第３の実施の形態の用紙が用紙トレイ上に積載されていない状態の印刷装置の構成を示す説明図である。
【図６】第３の実施の形態の用紙が用紙トレイ上に積載されている状態の印刷装置の構成を示す説明図である。
【図７】第４の実施の形態の用紙が用紙トレイとホッパープレート上に積載されていない状態の印刷装置の構成を示す説明図である。
【図８】第４の実施の形態の用紙が用紙トレイとホッパープレート上に積載されている状態の印刷装置の構成を示す説明図である。
【図９】第５の実施の形態の用紙が用紙トレイ上に積載されていない状態の印刷装置の構成を示す説明図である。
【図１０】第５の実施の形態の用紙が用紙トレイ上に積載されている状態の印刷装置の構成を示す説明図である。
【符号の説明】
１  印刷装置
２  用紙
５  給紙ローラ
２３  シャッタープレート
２５  印刷装置
２６  ホッパープレート
２７  スプリング
２８  印刷装置
２９  シャッタープレート
３１  清掃手段
３２  印刷装置
３３  清掃手段
３４  集積部
３５  印刷装置
３６  清掃手段
３８スプリング
【図１】
2005008362.tif 000003
【図２】
2005008362.tif 000004
【図３】
2005008362.tif 000005
【図４】
2005008362.tif 000006
【図５】
2005008362.tif 000007
【図６】
2005008362.tif 000008
【図７】
2005008362.tif 000009
【図８】
2005008362.tif 000010
【図９】
2005008362.tif 000011
【図１０】
2005008362.tif 000012